(57)【要約】【課題】オンオフ状態を判断するための電気信号を得ることができ、且つハンドルの操作性を向上することのできるスイッチ装置を提供する。【解決手段】一対の信号用固定接点６０ａ，６０ａと、ハンドル５から信号用固定接点６０ａ，６０ａに向かう方向に突設されてハンドル５と一体に揺動する操作片５３と、ハンドル５のオン位置又はオフ位置への移動に応じて信号用固定接点６０ａ，６０ａに接離される信号用可動接触子６１とを有し、スイッチ装置１のオンオフ状態の判断に用いられる信号用接点機構部６を備え、信号用可動接触子６１は、長手方向の一端において器体４に圧入固定される固定部６１ａと、長手方向の他端において固定部６１ａを支点として撓み自在である可動接点部６１ｂと、固定部６１ａと可動接点部６１ｂとの間において上方に向かって凸状に折曲されて操作片５３の軌道上に配置される押圧部６１ｃとを備える。【選択図】図１
2008226497.tif 000002
【特許請求の範囲】
【請求項１】
電源用接点機構部と、電源用接点機構部が収納される器体と、器体に揺動自在に支持される電源用接点機構部のオンオフ操作用のハンドルと、電源用接点機構部とハンドルとを連結するコイルばねから成る反転ばねとを備え、反転ばねは、ハンドルがオフ位置に位置している際に一方向側に屈曲することで電源用接点機構部をオフし、ハンドルがオン位置に位置している際に他方向側に屈曲することで電源用接点機構部をオンし、ハンドルがオン位置とオフ位置との間を移動する際に最も圧縮された状態となることで、弾性力によって一方向側又は他方向側に屈曲する屈曲動作を行うように構成されているスイッチ装置であって、器体に収納される一対の信号用固定接点と、ハンドルから信号用固定接点に向かう方向に突設されてハンドルと一体に揺動する操作片と、ハンドルのオン位置又はオフ位置への移動に応じて信号用固定接点に接離される信号用可動接触子とを有し、スイッチ装置のオンオフ状態の判断に用いられる信号用接点機構部を備え、信号用可動接触子は、帯状の金属板から成り、長手方向の一端において器体に圧入固定される固定部と、長手方向の他端において固定部を支点として撓み自在であって一対の信号用固定接点と接離する可動接点部と、固定部と可動接点部との間においてハンドルに向かって凸状に折曲されて操作片の軌道上に配置される押圧部とを備え、ハンドルがオフ位置からオン位置に変位する又はオン位置からオフ位置に変位する際に押圧部が操作片に押圧されることで可動接点部が一対の信号用固定接点を開閉することを特徴とするスイッチ装置。
【請求項２】
前記信号用可動接触子は、固定部と押圧部との間において固定部の圧入方向に対して垂直な方向と平行な押込み部を備えたことを特徴とする請求項１記載のスイッチ装置。
【請求項３】
前記操作片は、押圧部を押圧部の接線方向に対して略垂直な方向に押圧する傾斜部を備えたことを特徴とする請求項１又は２記載のスイッチ装置。
【請求項４】
前記押圧部は略直角に折曲されたことを特徴とする請求項３記載のスイッチ装置。
【発明の詳細な説明】
【技術分野】
【０００１】
本発明は、ハンドルの揺動に伴って接点がオンオフされるスイッチ装置に関する。
【背景技術】
【０００２】
従来から、図５（ａ），（ｂ）に示すようなスイッチ装置１００が提供されている（例えば、特許文献１）。このスイッチ装置１００は、２つの接点機構部１０１と、各接点機構部１０１が収納されるボディ１０２と、ボディ１０２に揺動自在に支持される接点機構部１０１のオンオフ操作用のハンドル１０３と、各接点機構部１０１とハンドル１０３とをそれぞれ連結するコイルばねから成る反転ばね１０４とを備える２極型のスイッチ装置であって、反転ばね１０４は、ハンドル１０３がオフ位置に位置している際に一方向側に屈曲することで接点機構部１０１をオフし、ハンドル１０３がオン位置に位置している際に他方向側に屈曲することで接点機構部１０１をオンし、ハンドル１０３がオン位置とオフ位置との間を移動する際に最も圧縮された状態となることで、弾性力によって一方向側又は他方向側に屈曲する屈曲動作を行うよう構成されている。
【０００３】
したがって、スイッチ装置１００では、ハンドル１０３をオフ位置からオン位置、又はオン位置からオフ位置に移動させる際に、ハンドル１０３を反転ばね１０４が最も圧縮された状態になるまで移動させた後は、反転ばね１０４の均衡が崩れることによって、反転ばね１０４の屈曲動作を行い、これによりハンドル１０３が急激に移動して両接点機構部１０１がオン又はオフとなるようになっている。このようなスイッチ装置１００は、反転ばね１０４の屈曲動作によって接点機構部１０１のオンオフが迅速に行われるので、接点機構部１０１にアークが生じることが抑制されている。
【０００４】
また、このようなスイッチ装置１００を利用して、スイッチ装置を直視することなく、両接点機構部１０１のオンオフ状態を確認するための電気信号が得られるように構成したスイッチ装置２００が提供されている。このスイッチ装置２００は、図５（ｃ）に示すように、上記のスイッチ装置１００に、接点機構部１０１と同様の接点機構部２０１と、この接点機構部２０１とハンドル１０３とを連結するコイルばねから成る反転ばね２０２とを付設して３極型のスイッチ装置としたものである。即ち、このスイッチ装置２００では、２つの接点機構部１０１，１０１と、付設した接点機構部２０１とのオンオフが連動するようになっているため、接点機構部２０１に電圧を印加することによってスイッチ装置２００のオンオフ状態を判断するための電気信号を得ることができるようになっている。
【特許文献１】特開平７−２９６６８０号公報（図１〜図５参照）
【発明の開示】
【発明が解決しようとする課題】
【０００５】
しかしながら、上記のスイッチ装置２００では、接点機構部１０１のオンオフ状態（即ち、スイッチ装置１００のオンオフ状態）を確認するために、接点機構部１０１と同様の接点機構部２０１を付設し、これに伴って接点機構部２０１をオンオフ操作するための反転ばね２０２を付設しているので、ハンドル１０３の操作時には接点機構部１０１，１０１用の反転ばね１０４，１０４に加えて、接点機構部２０１用の反転ばね２０２を屈曲状態から最も圧縮された状態へと移行させる必要がある。
【０００６】
そのため、スイッチ装置２００では、スイッチ装置２００のオンオフ状態を判断するための電気信号を得ることができるものの、ハンドル１０３を操作するのに必要な力（操作荷重）がスイッチ装置１００よりも増加することになり、その結果、ハンドル１０３の操作性（操作感触）が悪くなるという問題があった。
【０００７】
本発明は、上記の点に鑑みて為されたもので、オンオフ状態を判断するための電気信号を得ることができ、且つハンドルの操作性を向上することのできるスイッチ装置を提供することを目的とする。
【課題を解決するための手段】
【０００８】
請求項１の発明は、上記目的を達成するために、電源用接点機構部と、電源用接点機構部が収納される器体と、器体に揺動自在に支持される電源用接点機構部のオンオフ操作用のハンドルと、電源用接点機構部とハンドルとを連結するコイルばねから成る反転ばねとを備え、反転ばねは、ハンドルがオフ位置に位置している際に一方向側に屈曲することで電源用接点機構部をオフし、ハンドルがオン位置に位置している際に他方向側に屈曲することで電源用接点機構部をオンし、ハンドルがオン位置とオフ位置との間を移動する際に最も圧縮された状態となることで、弾性力によって一方向側又は他方向側に屈曲する屈曲動作を行うように構成されているスイッチ装置であって、器体に収納される一対の信号用固定接点と、ハンドルから信号用固定接点に向かう方向に突設されてハンドルと一体に揺動する操作片と、ハンドルのオン位置又はオフ位置への移動に応じて信号用固定接点に接離される信号用可動接触子とを有し、スイッチ装置のオンオフ状態の判断に用いられる信号用接点機構部を備え、信号用可動接触子は、帯状の金属板から成り、長手方向の一端において器体に圧入固定される固定部と、長手方向の他端において固定部を支点として撓み自在であって一対の信号用固定接点と接離する可動接点部と、固定部と可動接点部との間においてハンドルに向かって凸状に折曲されて操作片の軌道上に配置される押圧部とを備え、ハンドルがオフ位置からオン位置に変位する又はオン位置からオフ位置に変位する際に押圧部が操作片に押圧されることで可動接点部が一対の信号用固定接点を開閉することを特徴とする。
【０００９】
請求項２の発明は、請求項１の発明において、信号用可動接触子は、固定部と押圧部との間において固定部の圧入方向に対して略垂直な方向と平行な押込み部を備えたことを特徴とする。
【００１０】
請求項３の発明は、請求項１又は２の発明において、操作片は、押圧部を押圧部の接線方向に対して垂直な方向に押圧する傾斜部を備えたことを特徴とする。
【００１１】
請求項４の発明は、請求項３の発明において、押圧部は略直角に折曲されたことを特徴とする。
【発明の効果】
【００１２】
請求項１の発明によれば、信号用接点機構部によりオンオフ状態を判断するための電気信号を得ることができるという効果を奏し、また信号用接点機構部を、一対の信号用固定接点と、ハンドルと一体に揺動する操作片と、ハンドルのオン位置又はオフ位置への移動に応じて信号用固定接点に接離される信号用可動接触子とで構成するとともに、信号用可動接触子は、信号用固定接点と接離する可動接点部が長手方向の一端の固定部を支点として撓み自在であって、固定部と可動接点部との間においてハンドルに向かって凸状に折曲された押圧部が、ハンドルがオフ位置からオン位置に変位する又はオン位置からオフ位置に変位する際に操作片に押圧されることで可動接点部が一対の信号用固定接点を開閉するようにしたので、従来のように反転ばねを用いる場合と比べてハンドルを操作するのに必要な力を低減することができ、したがってハンドルの操作性を向上することができる。
【００１３】
請求項２の発明によれば、押込み部を押込むことで固定部を器体に容易に圧入することができる。
【００１４】
請求項３の発明によれば、操作片の傾斜部が押圧部を押圧部の接線方向に対して略垂直に押込むので、可動接点部の信号用固定接点部と接離する方向の変位量を大きくすることができ、したがって可動接点部の信号用固定接点に対する接圧を高めることができる。
【００１５】
請求項４の発明によれば、操作片の傾斜部が押圧部を押圧部の接線方向に対して略垂直に押込む際に、可動接点部の信号用固定接点部と接離する方向の変位量を最も大きくすることができ、可動接点部の信号用固定接点に対する接圧を高めることができる。
【発明を実施するための最良の形態】
【００１６】
以下、本発明に係るスイッチ装置の実施形態について図面を用いて説明する。尚、以下の説明では図１（ａ）における上下を前後方向、図１（ａ）における左右を左右方向と定めるものとする。
【００１７】
本実施形態のスイッチ装置１は、図２（ａ），（ｂ）に示すように、電源用接点機構部２と、電源用接点機構部２が収納される器体４と、器体４に揺動自在に支持される電源用接点機構部２のオンオフ操作用のハンドル５と、電源用接点機構部２とハンドル５とを連結するコイルばねから成る反転ばね３とを備え、反転ばね３は、ハンドル５がオフ位置に位置している際に一方向（右方向）側に屈曲することで電源用接点機構部２をオフし、ハンドル５がオン位置に位置している際に他方向（左方向）側に屈曲することで電源用接点機構部２をオンし、ハンドル５がオン位置とオフ位置との間を移動する際に最も圧縮された状態となることで、弾性力によって右方向側又は左方向側に屈曲する屈曲動作を行うように構成される。
【００１８】
また、スイッチ装置１は、器体４に収納される一対の信号用固定接点６０ａ，６０ａと、ハンドル５から信号用固定接点６０ａ，６０ａに向かう方向に突設されてハンドル５と一体に揺動する操作片５３と、ハンドル５のオン位置又はオフ位置への移動に応じて両信号用固定接点６０ａ，６０ａに接離される信号用可動接触子６１とを有し、スイッチ装置１のオンオフ状態の判断に用いられる信号用接点機構部６を備える。
【００１９】
電源用接点機構部２は、図１（ａ）に示すように、電源用固定接点２０を有する電源用固定端子板２１と、電源用固定接点２０と接離される電源用可動接点２２を有する電源用可動接触子２３と、電源用可動接触子２３を揺動自在に接触支持する共通端子板２４とから構成されている。
【００２０】
電源用固定端子板２１は、例えば銅等の導電性材料から成る金属板から曲成され、電源用固定接点２０が前面に固着される接点保持片２１ａと、接点保持片２１ａから後方へ延設されて外部の電気回路等との接続に用いられる固定端子片２１ｂとを一体に備える略Ｌ字状に形成されている。尚、電源用固定接点２０は、耐溶着性、耐環境性、及び耐熱性の高い導電性金属材料（例えば、銀）が用いられる。
【００２１】
電源用可動接触子２３は、電源用固定端子板２１と同様に、銅等の導電性材料から成る金属板から曲成されて、反転ばね３の外径と同程度の距離を隔てて互いに対向する一対の側片２３ａ，２３ａ及び一対の側片２３ａ，２３ａの後端部間を連結する連結片２３ｂを有する略コ字状に形成され、一対の側片２３ａ，２３ａ及び連結片２３ｂで囲まれる空間部に反転ばね３の後端部が嵌入されるばね保持部２３ｃを有している。このばね保持部２３ｃの連結片２３ｂの略中央部には、電源用可動接触子２３を共通端子板２４に揺動自在に支持させるための軸孔（図示せず）が前後方向に貫設されており、この軸孔に後述する共通端子板２４の軸部２４ｃが貫装されることで、電源用可動接触子２３が共通端子板２４に揺動自在に支持されることになる。
【００２２】
また、ばね保持部２３ｃの一方（右方）の側片２３ａの前端部には、右方に向けて接点保持片２３ｄが一体に突設されており、この接点保持片２３ｄは、所定の弾性を有するように前方に折れ曲がった略く字状に形成されている。この接点保持片２３ｄの右端側の後面には、電源用可動接点２２が固着されている。尚、電源用可動接点２２としては、上記の電源用固定接点２０と同様の材料が用いられている。
【００２３】
共通端子板２４は、電源用固定端子板２１と同様に、銅等の導電性材料から成る金属板から曲成され、電源用可動接触子２３を揺動自在に支持するための支持片２４ａと、支持片２４ａから後方へ延設されて外部の電気回路等との接続に用いられる共通端子片２４ｂとを一体に備える略Ｌ字状に形成されている。そして、支持片２４ａの右端縁部には、電源用可動接触子２３を揺動自在に支持するための前述の軸部２４ｃが前方に向けて一体に突設されている。
【００２４】
信号用接点機構部６は、図１（ｄ）〜（ｆ）に示すように、一対の信号用固定接触子６０，６０と、信号用可動接触子６１とから構成されている。信号用固定接触子６０は、例えば銅等の導電性材料から成る略丸棒状の部材から曲成され、信号用可動接触子６１が接離される信号用固定接点６０ａと、信号用固定接点６０ａの左端部から後方へ延設されて外部の電気回路等との接続に用いられる信号用端子部６０ｂとを一体に備える略Ｌ字状に形成されている。
【００２５】
信号用可動接触子６１は、例えば銅等の導電性及び可撓性を有する材料から成る金属板から曲成され、図３（ａ）に示すように、長手方向の一端（図３（ａ）における右端）部を略直角に折曲して成り後述する端子台４２に圧入固定される固定部６１ａと、長手方向における他端（図３（ａ）における左端）部において固定部６１ａを支点として撓み自在であって両信号用固定接点６０ａ，６０ａと接離する可動接点部６１ｂと、固定部６１ａと可動接点部６１ｂとの間において上方に向かって凸状に折曲されて操作片５３に押圧される押圧部６１ｃとを備えている。また、固定部６１ａは、その略中央から切り起こされた略矩形状の係止片６１ｅと、係止片６１ｅを挟む形で固定部６１ａの短手方向における両側縁からそれぞれ突設された一対の突部６１ｆとを備える。
【００２６】
尚、固定部６１ａと押圧部６１ｃとの間には、固定部６１ａの圧入方向に対して垂直な方向、即ち左右方向と平行な押込み部６１ｄを設けており、固定部６１ａを端子台４２に圧入する際に押込み部６１ｄを押込むことで、固定部６１ａを端子台４２に容易に圧入することができる。
【００２７】
器体４は、例えば合成樹脂成形品であって、前面が開口した略直方体状に形成され、器体４の短手方向の両内側面には、ハンドル５を揺動自在に取り付けるための略円形状の軸受孔４ａがそれぞれ形成されている（図１（ａ）参照）。また、器体４の長手方向の外側面には、図１（ｄ）に示すように、短手方向に離間した一対のばね片４ｂ，４ｂが一体に突設されており、これらばね片４ｂ，４ｂは、スイッチ装置１を取付パネル（図示せず）等に取り付けるために用いられる。
【００２８】
一方、器体４の内部は、器体４の短手方向において互いに対向する隔壁４０，４０によって短手方向に３分割されており、短手方向両側の空間部がそれぞれ電源用接点機構部２を収納する電源用接点収納室４Ａ，４Ａとして用いられる。また、これら隔壁４０，４０で囲まれる空間部は信号用接点機構部６を収納する信号用接点収納室４Ｂとして用いられる。この信号用接点収納室４Ｂ内の器体４の底面には、図１（ｄ）に示すように、左右両端部が前方に突出した略直方体状の端子台４２が着脱自在に設けられており、該端子台４２の長手方向の一端（図１（ｄ）における左端）部に設けられた一対の挿入孔（図示せず）に両信号用固定接点６０ａ，６０ａを前方に露出する形で一対の信号用固定接触子６０，６０の各信号用端子部６０ｂ，６０ｂが挿入されるとともに、端子台４２の長手方向の他端（図１（ｄ）における右端）部に設けられた挿入孔（図示せず）に信号用可動接触子６１の固定部６１ａが圧入固定される。尚、固定部６１ａは、端子台４２に圧入した際に図示しない被係止部に係止片６１ｅの先端部及び一対の突部６１ｆが係止することで確実に固定される。
【００２９】
つまり、器体４内では、商用電源等の大電流が流れる電源用接点機構部２と、商用電源に比べれば非常に小さい電流が流れる信号用接点機構部６とが、隔壁４０，４０によって分離されており、これにより信号用接点機構部６が電源用機構接点部２で発生するアーク等の影響を受けることがないようにしている。
【００３０】
また、器体４の後壁部４３において電源用接点収納室４Ａ，４Ａにそれぞれ対応する部位には、図２（ｂ）に示すように、電源用接点機構部２の共通端子板２４の共通端子片２４ｂ及び固定端子板２１の固定端子片２１ｂをそれぞれ器体４の外部に突出させるための一対の電源用端子挿通孔４３ａ，４３ｂが、器体４の長手方向で離間するようにして設けられている。また、器体４の後壁部４３において信号用接点収納室４Ｂに対応する部位には、一対の信号用固定接触子６０，６０の信号用端子部６０ｂ，６０ｂをそれぞれ器体４の外部に突出させるための一対の信号用端子挿通孔４３ｃ，４３ｃが器体４の短手方向で離間するようにして設けられている。尚、図２（ｂ）に示すように、器体４の後壁部４３には各挿通孔の近傍に番号が付されている。即ち、一方の電源用接点収納室４Ａの各電源用端子挿通孔４３ａ，４３ｂにはそれぞれ番号１，２が付され、他方の電源用接点収納室４Ａの各電源用端子挿通孔４３ａ，４３ｂにはそれぞれ番号３，４が付され、信号用接点収納室４Ｂの各信号用端子挿通孔４３ｃ，４３ｃにはそれぞれ番号５，６が付されている。
【００３１】
更に、器体４の後壁部４３の後面には、図２（ｂ）に示すように、電源用端子挿通孔４３ａから突出される共通端子片２４ｂと、電源用端子挿通孔４３ｂから突出される固定端子片２１ｂとの間の絶縁性を確保するための第１絶縁壁４４が一体に突設されている。また、器体４の後壁部４３の後面には、電源用端子挿通孔４３ａ，４３ａからそれぞれ突出される共通端子片２４ｂ，２４ｂ間の絶縁性を確保するための一対の第２絶縁壁４５，４５と、電源用端子挿通孔４３ｂ，４３ｂからそれぞれ突出される固定端子片２１ｂ，２１ｂ間の絶縁性を確保するための一対の第３絶縁壁４６，４６とが一体に突設されている。また、後壁部４３の後面において、信号用端子挿通孔４３ｃ，４３ｃの周辺部には、図２（ｂ）に示すように、信号用コネクタ（図示せず）が取り付け可能なコネクタ部４７が設けられている。
【００３２】
ハンドル５は、図４（ａ）〜（ｄ）に示すように、後端部が器体４に収納された状態で器体４に揺動自在（回動自在）に支持されるものであり、例えば合成樹脂成形品であって、後面が開口した略直方体状に形成されている。ハンドル５の短手方向の両外側面には、器体４の軸受孔４ａに揺動自在に支持される略円形状の軸部５ａが一体に突設されている。このハンドル５の内部は、ハンドル５の短手方向において対向する一対の隔壁５０，５０によって短手方向に略３等分され、これにより器体４の電源用接点収納室４Ａ，４Ａに対応する電源用接点収納室と、器体４の信号用接点収納室４Ｂに対応する信号用接点収納室とが設けられている。ここで、一対の隔壁５０，５０間の間隔は、器体４の隔壁４０，４０間の間隔よりも大きく設定されており、ハンドル５を器体４に取り付けた際には、ハンドル５の一対の隔壁５０，５０間の部位に器体４の隔壁４０，４０が位置するようになっている。これにより、器体４に収納される電源用接点機構部２と信号用接点機構部６との間の絶縁距離が大きくなり、更なる絶縁性の向上が図られている。
【００３３】
一方、ハンドル５の前壁部５１の後面において電源用接点収納室に対応する部位には、反転ばね３の外径と同程度の内径を有する略円柱状の保持孔部５２ａが形成された保持筒部５２が一体に突設されており、この保持筒部５２の保持孔部５２ａに反転ばね３の前端部が嵌入されることで、ハンドル５が反転ばね３に連結される。
【００３４】
また、ハンドル５の前壁部５１の後面において信号用接点収納室に対応する部位には、信号用可動接触子６１を固定するための略角棒状の操作片５３が一体に突設されている。ここで、操作片５３は、信号用可動接触子６１の押圧部６１ｃを押圧することで信号用可動接触子６１の可動接点部６１ｂを器体４内の所定位置に配置するためのものであり、この操作片５３によって、可動接点部６１ｂは、ハンドル５がオフ位置に位置している際に一対の信号用固定接点６０ａ，６０ａから離間し、ハンドル５がオン位置に位置している際に一対の信号用固定接点６０ａ，６０ａに接触する位置に配置されることになる。
【００３５】
また、操作片５３の押圧部６１ｃと接触する下端部は、押圧部６１ｃの接線方向に沿って切り欠いた傾斜部５３ａが設けられている。而して、操作片５３が押圧部６１ｃを押圧する際に、傾斜部５３ａによって押圧部６１ｃの接線方向に対して略垂直な方向に押圧部６１ｃを押圧することができるので、可動接点部６１ｂの一対の信号用固定接点部６０ａ，６０ａと接離する方向の変位量を大きくすることができ、したがって可動接点部６１ｂの一対の信号用固定接点６０ａ，６０ａに対する接圧を高めることができる。
【００３６】
加えて、本実施形態のように押圧部６１ｃを略直角に折曲することで、可動接点部６１ｂの一対の信号用固定接点部６０ａ，６０ａと接離する方向の変位量を最も大きくすることができ、したがって可動接点部６１ｂの一対の信号用固定接点６０ａ，６０ａに対する接圧を更に高めることができる。
【００３７】
以上述べた部材により本実施形態のスイッチ装置１は構成されており、スイッチ装置１は次のようにして組み立てられる。先ず、信号用接点収納室４Ｂ内の器体４の底面に端子台４２を取り付ける。ここで、端子台４２を取り付ける前に、端子台４２に予め信号用可動接触子６１の固定部６１ａ及び信号用固定接触子６０の信号用端子部６０ｂを圧入固定しておく。次に、器体４の各電源用接点収納室４Ａ，４Ａに、それぞれ電源用接点機構部２，２を収納する。ここで、電源用接点機構部２の収納は、電源用端子挿通孔４３ａから共通端子片２４ｂを器体４の外部に突出させた状態で共通端子板２４を電源用接点収納室４Ａに収納するとともに、電源用端子挿通孔４３ｂから固定端子片２１ｂを器体４の外部に突出させた状態で電源用固定端子板２１を電源用接点収納室４Ａに収納した後に、電源用可動接点２２を電源用固定接点２０に対向させるとともに電源用可動接触子２３の軸受孔に共通端子板２４の軸部２４ｃを挿通させた状態で、電源用可動接触子２３を電源用接点収納室４Ａに収納することで行われる。
【００３８】
一方、ハンドル５は、各保持筒部５２の保持孔部５２ａにそれぞれ反転ばね３の前端部を嵌入するとともに、軸部５ａを器体４の軸受孔４ａに嵌入することで器体４に揺動自在に取り付けられる。このとき、各反転ばね３の後端部は、各電源用可動接触子２３のばね保持部２３ｃにそれぞれ嵌入される。また、操作片５３は、その後端部の軌道上に信号用可動接触子６１の押圧部６１ｃが位置するように配置される。
【００３９】
以上により、図２（ａ），（ｂ）に示すスイッチ装置１が得られ、このスイッチ装置１は、図２（ｃ）に示すような回路構成を有している。尚、図２（ｃ）における括弧内の数字１〜６は、図２（ｂ）に示すように、後壁部４３の後面に付された数字１〜６に対応している。
【００４０】
以下、スイッチ装置１の動作を図１（ａ）〜（ｆ）を用いて説明する。図１（ａ），（ｄ）に示す状態は、スイッチ装置１がオフである状態を示している。この状態では、ハンドル５が右回り方向（図１（ａ）における時計回り方向、図１（ｄ）における反時計回り方向）に回動されてオフ位置に位置している。このとき、図１（ａ）に示すように、反転ばね３は、中腹部が左方に突出するように屈曲された状態（右方向側に屈曲した状態）で安定している。また、両電源用接点機構部２の電源用可動接触子２３は、電源用可動接点２２が電源用固定接点２０から離間する位置に位置しており、これにより電源用接点機構部２はオフ状態となっている。更に、反転ばね３が屈曲状態にあるために、ハンドル５には右回り方向に回動するような荷重がかかっている。
【００４１】
このように、ハンドル５がオフ位置に位置している際には、図１（ｄ）に示すように、信号用可動接触子６１の可動接点部６１ｂが一対の信号用固定接点６０ａ，６０ａから離間し、これにより信号用接点機構部６がオフ状態となっている。したがって、この状態で信号用接点機構部６の一対の信号用固定端子部６０ｂ，６０ｂ間に電圧を印加すると、信号用接点機構部６がオフ状態であるから、ローレベル（０Ｖ）の電気信号が出力される。
【００４２】
ここで、図１（ａ）に示すようにハンドル５がオフ位置に位置している状態から、ハンドル５をオン位置に移動させる、即ちハンドル５の前面の左端側を後方に押圧することでハンドル５を左回り方向（図１（ａ）における反時計回り方向、図１（ｄ）における時計回り方向）に回動させようとすると、この回動方向は、反転ばね３を中腹部が左方向に突出するように屈曲した状態から全体が軸方向に沿った状態（真っ直ぐになった状態）に移行させる方向であるから、反転ばね３を圧縮するために必要な荷重がハンドル５にかかることになる。
【００４３】
ハンドル５を左回りに回動させていくと、やがて図１（ｂ）に示すように、反転ばね３が軸方向に沿った状態となる。この状態では、反転ばね３が軸方向に沿っているために反転ばね３がどちらの方向にも屈曲しようとせず、均衡が保たれる。このとき、図１（ｅ）に示すように、操作片５３の後端部は信号用可動接触子６１の押圧部６１ｄに接触するが、押圧部６１ｄを押圧していないために可動接点部６１ｂは一対の信号用固定接点６０ａ，６０ａから離間した状態を保っている。尚、反転ばね３が軸方向に沿った状態となる前にハンドル５を離すと、反転ばね３はハンドル５によって圧縮された状態から伸長しようとし、これによって右方向側に屈曲する屈曲動作（即ち、屈曲方向が反転せずに元の状態に戻る復帰動作）を行い、ハンドル５は右回り方向に回動されて図１（ａ）に示すオフ状態に戻る。
【００４４】
図１（ｂ）に示すように反転ばね３が軸方向に沿った状態から、更にハンドル５を左回りに回動させていくと、ハンドル５によって反転ばね３が左方向側に屈曲するように誘導される。このため、反転ばね３は、圧縮状態から伸長しようとする弾性力によって左方向側に屈曲する屈曲動作（即ち、屈曲方向が反転する反転動作）を行う。その結果、図１（ｃ）に示すように、反転ばね３が急速に左方向側に屈曲し、これにより電源用可動接触子２３が右回り方向に回動されて、電源用可動接点２２が電源用固定接点２０に接触する。このように、反転ばね３の屈曲動作は反転ばね３の弾性力によって行われるので、反転ばね３に左方向側に屈曲するきっかけを与えた後は、ハンドル５を左回り方向に回動させなくとも自動的に屈曲動作が行われる。
【００４５】
この反転ばね３の屈曲動作中において、図１（ｆ）に示すように、操作片５３が押圧部６１ｃを押圧することで信号用可動接触子６１が固定部６１ａを支点として下方に撓み、初めて可動接点部６１ｂが一対の信号用固定接点部６０ａ，６０ａに接触するようになっている。つまり、ハンドル操作により反転ばね３を図１（ａ）に示すような屈曲状態から、図１（ｂ）に示すような最も圧縮された状態に移行させるときには、可動接点部６１ｂが一対の信号用固定接点６０ａ，６０ａに接触しないようになっており、これによりハンドル５の操作性が悪化するのを防止している。仮に、可動接点部６１ｂが一対の信号用固定接点６０ａ，６０ａに接触したとすると、一対の信号用固定接点６０ａ，６０ａによって信号用可動接触子６１の移動が規制されることになり、このような信号用可動接触子６１の移動規制による抗力、即ちハンドル５の左回り方向の回動を妨げるような力がハンドル５にかかることになるが、本実施形態のスイッチ装置１では、反転ばね３の屈曲動作中（換言すれば、反転ばね３により自動的にハンドル５が移動する期間中）に可動接点部６１ｂが一対の信号用固定接点６０ａ，６０ａに接触するので、ハンドル５を手動で回動させている最中には上記の抗力を受けず、ハンドル５が反転ばね３の弾性力により自動で回動する最中に上記の抗力を受けることになる。したがって、使用者がスイッチ装置１のハンドル５を操作する際には、上記の抗力による影響が無いためにハンドル５の操作性が悪化することがない。当然ながら、反転ばね３としては上記の抗力によって反転動作が妨げられることがないようなばね定数を有するコイルばねを用いている。
【００４６】
以上述べたように、ハンドル５がオン位置に位置している際には、図１（ｃ），（ｆ）に示すように、２つの電源用接点機構部２，２及び信号用接点機構部６がそれぞれオンとなっている。したがって、この状態で信号用接点機構部６の両信号用固定端子部６０ｂ，６０ｂ間に電圧を印加すると、信号用接点機構部６がオンであるから、印加した電圧に応じた電圧値の電気信号が出力される。
【００４７】
そして、図１（ｃ）に示すように、ハンドル５をオン位置に位置している状態からオフ位置に移動させる、即ちハンドル５の前面の右端側を後方に押圧することでハンドル５を右回り方向（図１（ｃ）における時計回り方向、図１（ｆ）における反時計回り方向）に回動させようとすると、この回動方向は、反転ばね３を中腹部が右方向に突出するように屈曲した状態（左方向側に屈曲した状態）から全体が軸方向に沿った状態（真っ直ぐになった状態）に移行させる方向であるから、反転ばね３を圧縮するために必要な荷重がハンドル５にかかることになる。
【００４８】
ハンドル５を右回り方向に回動させていくと、やがて図１（ｂ）に示すように、反転ばね３が軸方向に沿った状態となる。この状態では、反転ばね３が軸方向に沿っているために反転ばね３がどちらの方向にも屈曲しようとせず、均衡が保たれる。また、この状態では、電源用可動接触子２３が左回り方向に回動されて電源用可動接点２２が電源用固定接点２０から離間することになる。
【００４９】
ここで、反転ばね３が軸方向に沿った状態となる前にハンドル５を離すと、反転ばね３はハンドル５によって圧縮された状態から伸長しようとし、これによって左方向側に屈曲する屈曲動作（即ち、屈曲方向が反転せずに元の状態に戻る復帰動作）を行い、２つの電源用接点機構部２，２及び信号用接点機構部６がオンとなる。
【００５０】
図１（ｂ）に示すように反転ばね３が軸方向に沿った状態から、更にハンドル５を右回りに回動させていくと、ハンドル５によって反転ばね３が右方向側に屈曲するように誘導される。このため、反転ばね３は、圧縮状態から伸長しようとする弾性力によって右方向側に屈曲する屈曲動作（即ち、屈曲方向が反転する反転動作）を行う。その結果、図１（ａ）に示すように、反転ばね３が急速に右方向側に屈曲して、ハンドル５がオフ位置に位置することになる。このように、反転ばね３の屈曲動作は反転ばね３の弾性力によって行われるので、反転ばね３に右方向側に屈曲するきっかけを与えた後は、ハンドル５を右回り方向に回動させなくとも自動的に屈曲動作が行われる。
【００５１】
上述のように、本実施形態では信号用接点機構部６を備えているので、オンオフ状態を判断するための電気信号を得ることができる。また、信号用接点機構部６を、一対の信号用固定接点６０ａ，６０ａと、ハンドル５と一体に揺動する操作片５３と、ハンドル５のオン位置又はオフ位置への移動に応じて一対の信号用固定接点６０ａ，６０ａに接離される信号用可動接触子６１とで構成するとともに、信号用可動接触子６１は、一対の信号用固定接点６０ａ，６０ａと接離する可動接点部６１ｂが長手方向の一端の固定部６１ａを支点として撓み自在であって、固定部６１ａと可動接点部６１ｂとの間において上方に向かって凸状に折曲された押圧部６１ｃが操作片５３に押圧されることで可動接点部６１ｂが一対の信号用固定接点６０ａ，６０ａと接触するようにしたので、従来例のように反転ばね２０２を用いる場合と比べてハンドル５を操作するのに必要な力を低減することができ、したがってハンドル５の操作性を向上することができる。
【００５２】
尚、上記の例は電源用接点機構部２を２つ備えた例であるが、このような電源用接点機構部２の数は２つに限定されるものではなく、使用状況に応じて増減するようにしても構わない。
【図面の簡単な説明】
【００５３】
【図１】（ａ）は本実施形態のスイッチ装置の電源用接点機構部がオフである場合を示す概略断面図で、（ｂ）は電源用接点機構部がオンオフの中間位置に位置している場合を示す概略断面図で、（ｃ）は電源用接点機構部がオンである場合を示す概略断面図で、（ｄ）は信号用接点機構部がオフである場合を示す概略断面図で、（ｅ）は信号用接点機構部がオンオフの中間位置に位置している場合を示す概略断面図で、（ｆ）は信号用接点機構部がオンである場合を示す概略断面図である。
【図２】（ａ）はスイッチ装置の概略断面図で、（ｂ）はスイッチ装置の後面図で、（ｃ）はスイッチ装置の回路説明図である。
【図３】（ａ）は信号用可動接触子の側面図で、（ｂ）は信号用可動接触子の固定部の正面図である。
【図４】（ａ）はハンドルの外観図で、（ｂ）はＡ−Ａ’線断面矢視図で、（ｃ）はＢ−Ｂ’線断面矢視図で、（ｄ）はハンドルの側面図である。
【図５】（ａ）は従来のスイッチ装置の概略断面図で、（ｂ）は従来のスイッチ装置の外観図で、（ｃ）は従来の他のスイッチ装置の概略断面図である。
【符号の説明】
【００５４】
１  スイッチ装置
２  電源用接点機構部
３  反転ばね
４  器体
５  ハンドル
５３  操作片
６  信号用接点機構部
６０ａ  信号用固定接点
６１  信号用可動接触子
６１ａ  固定部
６１ｂ  可動接点部
６１ｃ  押圧部
【図１】
2008226497.tif 000003
【図２】
2008226497.tif 000004
【図３】
2008226497.tif 000005
【図４】
2008226497.tif 000006
【図５】
2008226497.tif 000007